(57)【要約】【課題】本発明は、後にラベルを剥がすための摘み部を適切に成形できるラベル片を作成できるテーププリンタのテープ処理方法およびテーププリンタを提供することをその課題としている。【解決手段】本発明は、端部に摘み部３０２を有して貼付対象物に対し引き剥がし可能なラベル３０１を得るために、折り返して貼り合せることにより摘み部３０２を成形可能な摘み成形領域３１２を端部に有するラベル片３１１を作成可能なテーププリンタのテープ処理方法において、剥離紙付きの印刷テープＴのラベル片３１１に相当する部分に印刷を行う印刷工程と、印刷工程後に、ラベル片３１１に相当する部分を印刷テープＴから切り離す切断工程と、を備え、印刷工程は、摘み成形領域３１２の折り返し位置３２１を示す指標を印刷する折り返し指標印刷工程を有していることを特徴とする。【選択図】　図１
2004017340.tif 000002
【特許請求の範囲】
【請求項１】
端部に摘み部を有して貼付対象物に対し引き剥がし可能なラベルを得るために、折り返して貼り合せることにより前記摘み部を成形可能な摘み成形領域を端部に有するラベル片を作成可能なテーププリンタのテープ処理方法において、
剥離紙付きの印刷テープのラベル片に相当する部分に印刷を行う印刷工程と、
印刷工程後に、前記ラベル片に相当する部分を前記印刷テープから切り離す切断工程と、を備え、
前記印刷工程は、前記摘み成形領域の折り返し位置を示す指標を印刷する折り返し指標印刷工程を有していることを特徴とするテーププリンタのテープ処理方法。
【請求項２】
前記摘み成形領域は、前記ラベルの表側となる表領域と、前記ラベルの裏側となる裏領域とから形成されており、
前記折り返し指標印刷工程は、前記表領域を塗り潰し印刷することを特徴とする請求項１に記載のテーププリンタのテープ処理方法。
【請求項３】
前記印刷工程は、前記摘み成形領域と前記ラベル片の非摘み成形領域との境界位置を示す指標を印刷する境界指標印刷工程をさらに備えたことを特徴とする請求項１に記載のテーププリンタのテープ処理方法。
【請求項４】
前記印刷工程は、前記表領域に、摘み部を意味するキャラクタを印刷するキャラクタ印刷工程をさらに備えたことを特徴とする請求項１ないし３のいずれかに記載のテーププリンタのテープ処理方法。
【請求項５】
端部に摘み部を有して貼付対象物に対し引き剥がし可能なラベルを得るために、折り返して貼り合せることにより前記摘み部を成形可能な摘み成形領域を端部に有するラベル片を作成可能なテーププリンタにおいて、
剥離紙付きの印刷テープの前記ラベル片に相当する部分に印刷を行う印刷手段と、
印刷終了後に前記ラベル片に相当する部分を前記印刷テープから切り離し前記ラベル片を得る切断手段と、
前記摘み成形領域を端部に付加したラベル片を作成することを設定する摘み付加手段と、を備え、
前記印刷手段は、前記摘み付加手段において前記摘み成形領域を付加した前記ラベル片を作成することが設定されたときには、前記摘み成形領域の折り返し位置を示す指標を印刷することを特徴とするテーププリンタ。
【請求項６】
前記摘み成形領域は、前記ラベルの表側となる表領域と、前記ラベルの裏側となる裏領域とから形成されており、
前記指標として、前記印刷手段は、前記表領を塗り潰し印刷することを特徴とする請求項５に記載のテーププリンタ。
【請求項７】
前記摘み付加手段において前記摘み成形領域を付加した前記ラベル片を作成することが設定されたときには、前記印刷手段は、前記摘み成形領域と前記ラベル片の非摘み成形領域との境界位置を示す指標をさらに印刷することを特徴とする請求項５に記載のテーププリンタ。
【請求項８】
前記摘み付加手段において前記摘み成形領域を付加した前記ラベル片を作成することが設定されたときは、前記印刷手段は、前記表領域に摘み部を意味するキャラクタを印刷することを特徴とする請求項５ないし７のいずれかに記載のテーププリンタ。
【請求項９】
前記摘み付加手段は、前記摘み成形領域の付加位置を前記ラベル片の前端、後端、および前後両端のいずれかに選択設定可能に構成されていることを特徴とする請求項５ないし８のいずれかに記載のテーププリンタ。
【請求項１０】
前記摘み付加手段は、前記摘み部のサイズを設定可能に構成されていることを特徴とする請求項５ないし９のいずれかに記載のテーププリンタ。
【発明の詳細な説明】
【０００１】
【発明の属する技術分野】
本発明は、剥離紙付きの印刷テープに印刷し、印刷した印刷テープを切断してラベル片を得るテーププリンタのテープ処理方法およびテーププリンタに関するものである。
【０００２】
【従来の技術】
従来のテーププリンタは、入力した印刷データに基づいて、印刷手段で装着した印刷テープのラベルに相当する部分に印刷を行いながら印刷テープを適宜送っていき、印刷終了後に所定の位置で印刷テープを切断して、ラベルとなるラベル片を作成するものである。そして、従来のテーププリンタは、作成したラベルが貼付後に剥がされることを想定してラベルを作成するものではなかった。
【０００３】
【発明の解決しようとする課題】
ところが、実際は作成したラベルを貼付後に剥がすことも多く、例えば、作成したラベルを付箋紙のように用いる場合のように、ラベルを作成している時点で、作成したラベルを貼付後に剥がすことが予めわかっている場合もある。かかる場合、従来のテーププリンタで作成されたラベルは、剥がされることを想定したラベルではないので、貼付したラベルを剥がす際にラベルは元より、ラベルの貼付対象物を傷つける可能性が高いという問題が生じる。また、ラベルの粘着材がラベルの貼付対象物に残ってしまうという問題も考えられる。
【０００４】
そこで、作成したラベルを予め剥がすことがわかっている場合には、専用の印刷テープを用い、ラベルの端部の余白部分を折り返して貼り合わせることで、ラベルを剥がすための摘み部を予め形成しておくことが考えられる。しかし、かかる場合、ラベルを作成するときに折り返し分と印刷テープの幅を考慮した上でラベルの余白量を設定しなければならず煩雑である。また、ラベルの端部の折り返しは目分量により行わなければならないので、折り返し位置を判断することが困難で、折り返し部分にラベルのキャラクタがかかってしまい、適切なラベルが作成できないなどといった不具合も生じる。
【０００５】
以上のことを鑑み、本発明は、後にラベルを剥がすための摘み部を適切に成形できるラベル片を作成できるテーププリンタのテープ処理方法およびテーププリンタを提供することをその課題としている。
【０００６】
【課題を解決するための手段】
本発明は、端部に摘み部を有して貼付対象物に対し引き剥がし可能なラベルを得るために、折り返して貼り合せることにより摘み部を成形可能な摘み成形領域を端部に有するラベル片を作成可能なテーププリンタのテープ処理方法において、剥離紙付きの印刷テープのラベル片に相当する部分に印刷を行う印刷工程と、印刷工程後に、ラベル片に相当する部分を印刷テープから切り離す切断工程と、を備え、印刷工程は、摘み成形領域の折り返し位置を示す指標を印刷する折り返し指標印刷工程を有していることを特徴とする。
【０００７】
また、端部に摘み部を有して貼付対象物に対し引き剥がし可能なラベルを得るために、折り返して貼り合せることにより摘み部を成形可能な摘み成形領域を端部に有するラベル片を作成可能なテーププリンタにおいて、剥離紙付きの印刷テープのラベル片に相当する部分に印刷を行う印刷手段と、印刷終了後にラベル片に相当する部分を印刷テープから切り離しラベル片を得る切断手段と、摘み成形領域を端部に付加したラベル片を作成することを設定する摘み付加手段と、を備え、印刷手段は、摘み付加手段において摘み成形領域を付加したラベル片を作成することが設定されたときには、摘み成形領域の折り返し位置を示す指標を印刷することを特徴とする。
【０００８】
これらの構成によれば、ラベル片の端部、すなわち摘み成形領域を折り返して貼り合わせて摘み部を作成するときに、摘み成形領域の折り返し位置を示す指標を目印として利用して適切な位置でラベル片を折り曲げることができ、適切に摘み部を作成することができる。
【０００９】
この場合、摘み成形領域は、ラベルの表側となる表領域と、ラベルの裏側となる裏領域とから形成されており、折り返し指標印刷工程は、表領域を塗り潰し印刷することが好ましい。
【００１０】
また、摘み成形領域は、ラベルの表側となる表領域と、ラベルの裏側となる裏領域とから形成されており、指標として、印刷手段は、表領を塗り潰し印刷することを特徴とすることが好ましい。
【００１１】
これらの構成によれば、ラベル片の表領域が塗り潰し印刷されるために、塗り潰しにより示される表領域と裏領域との境界をラベル片を折り曲げる際の目印として利用できると共に、ラベルの摘み部が塗り潰された領域によって示されるので、摘み部と貼付部とを明確に区別することができる。また、塗り潰す色は複数色から選択することができ、ユーザは好みの色を選択したり、塗り潰した色に基づいたラベルの使い分けができるため、ラベルの利便性および表現力を向上させることができる。
【００１２】
この場合、印刷工程は、摘み成形領域とラベル片の非摘み成形領域との境界位置を示す指標を印刷する境界指標印刷工程をさらに備えることが好ましい。
【００１３】
また、この場合、摘み付加手段において摘み成形領域を付加したラベル片を作成することが設定されたときには、印刷手段は、摘み成形領域とラベル片の非摘み成形領域との境界位置を示す指標をさらに印刷することが好ましい。
【００１４】
これらの構成によれば、ラベル片に摘み部（摘み成形領域）と貼付部（貼付領域）との境界位置を示す指標が印刷されるので、この指標により、摘み部を形成したラベルの摘み部と貼付部とを判別することができ、ラベルを剥がす際の利便性を増すことができる。
【００１５】
これらの場合、印刷工程は、表領域に、摘み部を意味するキャラクタを印刷するキャラクタ印刷工程をさらに備えることが好ましい。
【００１６】
また、これらの場合、摘み付加手段において摘み成形領域を付加したラベル片を作成することが設定されたときは、印刷手段は、表領域に摘み部を意味するキャラクタを印刷することが好ましい。
【００１７】
これらの構成によれば、摘み部の表領域に摘み部を意味するキャラクタが印刷されるので、摘み部と貼付部を区別することができると共に、ユーザはラベルの摘み部をより確実に認識することができる。
【００１８】
これらの場合、摘み付加手段は、摘み成形領域の付加位置をラベル片の前端、後端および前後両端のいずれかに設定可能に構成されていることが好ましい。
【００１９】
この構成によれば、摘み部の位置をラベル片の前端、後端および前後両端のいずれかに選択可能に構成されているので、ユーザの好みや利用目的に応じた位置に摘み部を設けることができるので、ラベルの利便性を向上させることができる。
【００２０】
これらの場合、摘み付加手段は、摘み部のサイズを設定可能に構成されていることが好ましい。
【００２１】
この構成によれば、摘み部のサイズを設定可能に構成されているので、ユーザは、好み、作成するラベル長さ、ラベル幅等を考慮して摘み部サイズを設定することができる。例えば、ユーザが摘み部のサイズを直接数値入力し、この値に基づいて摘み形成領域のサイズを設定してもよい。また、予め摘み部のサイズが選択肢として設定されており、ユーザが選択肢から摘み部のサイズを選択すると、選択に応じた摘み成形領域のサイズに設定されるようにしてもよい。なお、選択肢として用意されている摘み部のサイズは、固定値として定めてもよいし、相対値として定めてもよい。相対値とする場合には、装着された印刷テープの幅に対応させたサイズに設定可能にしてもよいし、作成されるラベル片の長さに対応させて相対的に設定するものであってもよい。
【００２２】
【発明の実施の形態】
以下、添付した図面を参照しながら、本発明の一実施形態のテーププリンタについて詳細に説明する。
【００２３】
図１は本実施形態におけるテーププリンタ全体の外観斜視図であり、図２は本実施形態におけるテーププリンタの開閉カバー１１を開放したときの外観斜視図である。図２に示すように、テーププリンタ１の前部上面部に、開閉カバー１１が設けられており、開閉カバー１１の内側には入力した印刷データを視認するためのディスプレイ１０１が備えられている。そして、テーププリンタ１の前部上面にはキーボード８１が設けられており、図１に示すように、開閉カバー１１を閉めるとキーボード８１がカバーリングされるようになっている。
【００２４】
また、テーププリンタ１の後部左上面には、開閉ボタン１５により開放される開閉蓋１６が設けられ、内部に印刷テープＴを収容したテープカートリッジＣを装着するためのポケット３１が形成されている。そして、テーププリンタ１の左側面には、印刷済みの印刷テープＴを排出するテープ排出口１７が形成されており、テープ排出口１７に臨んで印刷テープＴを切断するためのテープカッタ１１３が設けられている。
【００２５】
図３に示すように、テーププリンタ１は基本的な構成として、キーボート８１やディスプレイ１０１を備え、ユーザとのインターフェイスを行う操作部４、後述する印刷ヘッド３４を備えて印刷を行う印刷部２、テープカッタ１１３により印刷後に印刷テープＴの切断を行う切断部５、各種センサを有して各種検出を行う検出部６、各種ドライバを介して各部を駆動する駆動部７、およびテーププリンタ１の各部を制御する制御部８を備えている。
【００２６】
このテーププリンタ１は、ラベル片（ラベル）を作成するためのもので、キーボード８１等により入力された印刷データに基づいて、テープカートリッジＣから印刷テープＴを繰り出しながら、印刷テープＴに印刷を行うと共に、印刷済みの印刷テープＴをテープ排出口１７から送り出し、印刷終了後に所定の位置で印刷テープＴをテープカッタ１１３で切断することにより、ラベル片を作成する。
【００２７】
なお、このテーププリンタ１に用いられるテープカートリッジＣは、印刷テープＴとインクリボンＲとを収容しており、収容する印刷テープＴの幅等に合わせて複数種のものが用意されている。そして、テープカートリッジＣには、ポケット３１に装着したときに印刷ヘッド３４が遊挿される貫通開口Ｃ１が設けられており、テープカートリッジＣの裏面には、収容する印刷テープＴの幅や印刷テープＴの種類を識別するための小孔が複数設けられている。
【００２８】
印刷テープＴは、裏面に形成された粘着面を剥離紙で覆われており、印刷後にラベルとして貼付できるようになっている。そして、印刷テープＴは、幅が異なる複数種のものが用意されているだけではなく、印刷用の印刷テープＴと、ユーザが後から書き込みできるよう表面を加工した印刷テープＴとが用意されている。また、後に引き剥がすことを想定せず、通常のラベルとして利用するための印刷テープＴの他、作成したラベル片を引き剥がして、例えば付箋紙様に利用可能とするために、裏面に形成された粘着面の粘着力を弱めた印刷テープＴも用意されている。
【００２９】
印刷テープＴとインクリボンＲは、貫通開口Ｃ１の位置で相互に重なり合った状態で走行する。そして、印刷済みの印刷テープＴのみがテープ排出口１７から外部に排出され、インクリボンＲは内部で巻き取られるようになっている（図１参照）。
【００３０】
次に、テーププリンタ１の各構成について順に説明する。印刷部２は、印刷テープＴを送り出しながら印刷を行うもので、図１に示すように、テープカートリッジＣを装着するためのポケット３１と、送りモータ３２（図示省略）を駆動源としてテープカートリッジＣから印刷テープＴを繰り出しながら送るテープ送り部３３と、ヘッドカバーで覆われると共にサーマルヘッドから構成される印刷ヘッド３４とを備えている。印刷ヘッド３４を発熱駆動させると文字等のキャラクタが印刷テープＴに印刷され、これと同期してテープ送り部３３は印刷テープＴを適宜送り出している。
【００３１】
なお、図示は省略したが、ポケット３１には、テープカートリッジＣの印刷テープＴの幅を検出するテープ識別センサ１２１が設けられており、テープカートリッジＣの裏面に設けられた小孔の配列（ビットパターン）を検出するようになっている。また、このテーププリンタ１にはこの他にも各種センサが設けられており、例えば、印刷ヘッド３４の表面温度を検出するヘッド温度検出センサ１２３や、送りモータ３２の回転速度を検出する回転速度センサ１２２が設けられている。
【００３２】
操作部４は、各種キーからなるキーボード８１と、印刷データを含む印刷情報を表示する表示画面１０２を有するディスプレイ１０１とを備えている。キーボード８１は、アルファベットキー群、記号キー群等を有する文字キー群８２の他、各種動作を指定するための機能キー群８３などが配列されている。
【００３３】
機能キー群８３には、印刷動作を指示するための印刷キー９３、テキスト入力時のデータ確定や改行、選択画面における各種モードの選択指示のための選択キー９４、各種指示を取り消すための取り消しキー９７、各キーの役割変更等に用いられるシフトキー９５、およびカーソル移動や表示画面１０２の表示範囲を移動させるための４個のカーソルキー９６（９６Ｕ、９６Ｄ、９６Ｒ、９６Ｌ）が設けられている。また、機能キー群８３には、メニュー表示を行うためのメニューキー９１や摘み部成形領域３１２（後述する）を付加設定するための摘み設定キー９２も含まれている。
【００３４】
切断部５は、テープカッタ１１３として、印刷テープＴを切断して切り離す（フルカットする）フルカット用カッタ１１３ａと、印刷テープＴまたは剥離紙のいずれか一方のみを切断する（ハーフカットする）ハーフカット用カッタ１１３ｂとを備えている。そして、切断部５は、フルカット用カッタ１１３ａを有すフルカット手段１１１と、ハーフカット用カッタ１１３ｂを有すハーフカット手段１１２とを備えており、フルカット手段１１１にはフルカット用カッタ１１３ａを切断動作させるフルカット用カッタモータ１１４ａが、ハーフカット手段１１２にはハーフカット用カッタ１１３ｂを切断動作させるハーフカット用カッタモータ１１４ｂが備えられている。そして、印刷テープＴは、ハーフカット手段１１２でハーフカットされた後、フルカット手段１１１でフルカットされてテープ排出口１７から排出される。
【００３５】
検出部６は、前述のテープ識別センサ１２１、回転速度センサ１２２、ヘッド温度検出センサ１２３など各種センサを備えている。そして、各種センサからの検出信号を制御部８に送り、これに基づいて制御部８が各部を制御できるようにしている。なお、これらのセンサは実状に合わせて設ければよい。
【００３６】
駆動部７は、制御部８から出力される制御信号に基づいて、各部を駆動するもので、ディスプレイ１０１を駆動するディスプレイドライバ１３１や、印刷ヘッド３４を駆動するヘッドドライバ１３２、テーププリンタ１内の各モータを駆動するモータドライバ１３３等を有している。
【００３７】
制御部８は、ＣＰＵ１４１、ＲＯＭ１４２、キャラクタジェネレーションＲＯＭ（ＣＧ−ＲＯＭ）１４３、ＲＡＭ１４４、周辺制御回路（Ｐ−ＣＯＮ）１４５を備え、互いに内部バス１４７により接続されている。ＲＯＭ１４２は、ＣＰＵ１４１で処理する制御プログラムを記憶する制御プログラム領域の他、色変換テーブルや文字修飾テーブルなどを含む制御データを記憶する制御データ領域を有している。ＣＧ−ＲＯＭ１４３はテーププリンタ１に用意されている文字、記号、図形等のフォントデータを記憶していて、文字等を特定するコードデータが与えられたときに、対応するフォントデータを出力する。
【００３８】
ＲＡＭ１４４は、電源ボタン１２の操作により電源がオフにされても、記憶したデータを保持しておくようにバックアップ回路（図示省略）によって電源の供給を受けており、各種レジスタ群や、ユーザがキーボード８１から入力した文字等のテキストデータを記憶するテキストデータ領域、表示画面１０２の表示画像データを記憶する表示画像データ記憶領域、描画登録画像データを記憶する描画登録画像データ領域の他、印刷履歴データ領域やその他の色変換バッファなどの各種変換バッファ領域などの領域を有し、制御処理のための作業領域として使用される。
【００３９】
Ｐ−ＣＯＮ１４５には、ＣＰＵ１４１の機能を補うと共に周辺回路とのインターフェイス信号を取り扱うための論理回路、ゲートアレイやカスタムＬＳＩなどが組み込まれている。Ｐ−ＣＯＮ１４５は、各種センサやキーボード８１と接続され、各種検出信号およびキーボード８１からの各種指令や印刷データなどをそのまま、あるいは加工して内部バス１４７に取り込むと共に、ＣＰＵ１４１と連動して、ＣＰＵ１４１等から内部バス１４７に出力されたデータや制御信号をテーププリンタ１各部に出力する。
【００４０】
そして、ＣＰＵ１４１は、ＲＯＭ１４２内の制御プログラムに従って、Ｐ−ＣＯＮ１４５を介して各種検出信号、各種指令、各種データ等を入力して、ＣＧ−ＲＯＭ１４３からのフォントデータ、ＲＡＭ１４４内の各種データ等を処理し、Ｐ−ＣＯＮ１４５を介して制御信号をテーププリンタ１各部に出力する。これにより、ＣＰＵ１４１は、印刷の位置制御や表示画面１０２の表示制御等を行うと共に、印刷ヘッド３４を制御して所定の印刷条件で印刷テーＴに印刷するなど、テーププリンタ１全体を制御している。
【００４１】
次に、テーププリンタ１の制御全体の処理フローについて図４を参照しながら説明する。まず、電源が入れられるなどして処理が開始すると、要求されている初期状態にテーププリンタ１を戻すための初期設定が行われ（Ｓ１）、次に、表示画面に初期画面が表示される（Ｓ２）。初期画面表示が終了して、キー入力割込みが許可されると、キー入力割込み待機状態（Ｓ３：Ｎｏ）となり、キー入力が可能となる。キー入力によりキー入力割り込みが発生すると（Ｓ３：Ｙｅｓ）、割込み処理に移行し（Ｓ４）、その割込み処理が終了すると、再度キー入力割り込み待機状態（Ｓ３：Ｎｏ）となる。なお、キー入力されたか否かの判断分岐（Ｓ３）および各種割込み処理（Ｓ４）は、概念的に示した処理である。
【００４２】
このように、テーププリンタ１では、主な処理を割込み処理によって行うので、印刷画像作成準備および印刷の準備ができていれば、ユーザが任意の時点で印刷キー９３を押すことにより、印刷処理割込みが発生して、印刷処理が起動して印刷がなされるので、ユーザは印刷に至るまでの操作手順を任意に選択できる。
【００４３】
ところで、従来のテーププリンタでは、作成したラベルが貼付後に貼付対象物から引き剥がされることを想定しておらず、ラベル片をそのままラベルとして用いていたため、従来のテーププリンタで作成したラベルを貼付後に引き剥がすことは困難であった。しかし、実際上、テーププリンタで作成したラベルは貼付後に引き剥がされることも多く、例えば、作成したラベルを付箋紙の様に利用する場合等のように、貼付したラベルを予め引き剥がすことがわかっている場合もある。そこで、本実施形態のテーププリンタ１は、引き剥がすための摘み部を有する摘み部付ラベル３０１を成形できる摘み部付ラベル片３１１を作成できるようになっている（図８参照）。なお、当然のことながら摘み部成形しない摘み部無ラベル片３３１も作成することができるようになっており、摘み設定メニューまたは摘み設定キー９２によって、ラベルの摘み部の有無を設定できるようになっている。
【００４４】
まず、本実施形態のテーププリンタ１が作成する、摘み部付ラベル片について説明する。この摘み部付ラベル片３１１は、摘み部付ラベル３０１を成形可能なラベル片で、図８（ａ）、（ｂ）に示すように、端部に摘み部３０２を成形するための摘み成形領域３１２と、非摘み成形領域３１５から成り立っており、摘み成形領域３１２の中心を折り返し、貼り合わせることで摘み部付ラベル３０１の摘み部３０２を成形できるようになっている。摘み成形領域３１２は、摘み部３０２が成形されたときに摘み部付ラベル３０１の表側となる表領域３１３と、表領域３１３に貼り合わされ摘み部付ラベル３０１の裏側となる裏領域３１４と、から構成されている。
【００４５】
次に、摘み設定メニューについて説明する。摘み設定メニューは、作成するラベル片に摘み成形領域を設けるか否かを設定するためのものである。図５に示すように、テキスト入力画面（Ｄ１）のときに、メニュー表示キー９１によりメニュー表示させ（Ｓ１１）、そのメニュー項目から「摘み」をカーソルキー９６によりネガ表示させる。そして、「摘み」をネガ表示させた状態で、選択キー９４を押す（選択する）（Ｓ１２）と、摘み設定画面が表示され（Ｄ２）、摘み設定メニューが表示される。摘み設定メニューでは、選択肢として（摘みの）「あり」、「なし」が表示され、作成するラベルの摘みの有無を設定できるようになっている。なお、以下、選択肢（メニュー項目）からの選択設定は、カーソルキー９６および選択キー９４により行うものとする。
【００４６】
摘み設定メニューで「あり」を選択する（Ｓ１３）と、摘み部付ラベル作成モードにモード切替されると共に、表示画面１０２が設定詳細画面（Ｄ３）に切り替わり、成形する摘み部３０２の詳細設定を行う摘み詳細設定メニューが表示される（図５参照）。図６に示すように、摘み詳細設定メニューは５つの選択肢を有しており、摘み詳細設定メニューのメニュー項目として、成形する摘み部３０２の長さを設定する「摘み長」、摘み部付ラベル３０１に設ける摘み部３０２の位置を設定する「位置」、摘み成形領域３１２に印刷する指標を設定する「指標」、これらを初期設定値に自動設定する「自動」、および設定を終了させる「終了」が表示される。
【００４７】
摘み詳細設定メニューの「摘み長」は、装着した印刷テープＴの幅に対して相対的に定められた長さの摘み部３０２を成形できる摘み成形領域３１２の長さを設定するためのもので、ユーザの好みや作成するラベル片の用途に基づいて、摘み成形領域３１２の長さを適宜設定できるようになっている。「摘み長」を選択すると、成形する摘み部３０２の長さを設定する摘み長設定画面が表示され、図６および図７に示すように、「▲１▼多め」、「▲２▼普通」、「▲３▼少なめ」の３つの選択肢が表示される。なお、摘み長設定画面では、まず初期設定値として「▲２▼普通」が入力仮確定を表すネガ表示で表示されている。
【００４８】
メニュー項目「位置」は、摘み部付ラベル片３１１に設ける摘み成形領域３１２の位置を設定するためのもので、ユーザのラベル利用目的および好みに応じて摘み成形領域３１２の位置を設定できる。メニュー項目「位置」が選択されると、摘み位置設定画面が表示され、図６および図７に示すように、選択肢として「▲１▼前」、「▲２▼後」、「▲３▼前・後」が表示される。「▲１▼前」を選択すると、前端に摘み成形領域３１２が設けられた摘み部付ラベル片３１１が作成され、「▲３▼前・後」を選択すると、前端および後端の両方に摘み成形領域３１２が設けられた摘み部付ラベル片３１１が作成される（図８（ｂ）参照）。なお、初期設定値は「▲２▼後」となっている。
【００４９】
メニュー項目「指標」は、２階層で構成されており、第１階層では、摘み成形領域３１２の折曲げ位置、すなわち表領域３１３と裏領域３１４との境界の設定を行い、第２階層では、第１階層での選択に対応させて、摘み成形領域３１２に印刷する指標の設定を行う。具体的には、メニュー項目「指標」の第１階層には、選択肢として「なし」、「□折曲げ」、「△折曲げ」が用意されており、「なし」が選択されると、折曲げ位置に関する設定は行われず、「□折曲げ」が選択されると摘み成形領域３１２を左右に二分する中心線を折曲げ位置として設定する（図６ないし図８参照）。また、「△折曲げ」が選択されると、摘み成形領域３１２を二分する対角線の位置に折曲げ位置を設定する（図８（ｃ）参照）。
【００５０】
そして、第１階層で「□折曲げ」または「△折曲げ」が選択されると、これに対応する第２階層として、摘み成形領域３１２に折曲げ位置３２１を示す折曲げ指標のみを印刷することを設定する「折曲げ指標」と、折曲げ指標に加えて、摘み成形領域３１２と非摘み成形領域３１５との境界位置３２２を示す境界指標を印刷することを設定する「折曲げ指標＋境界指標」と、図８（ｄ）に示すように、摘み成形領域３１２の表領域３１３を塗り潰し印刷することを設定する「塗り潰し」と、が表示される。また、第１階層で「なし」が選択されると、境界指標のみを印刷することを設定する「境界指標」と、摘み成形領域３１２に指標印刷を行わないことを設定する「なし」が表示される。なお、印刷される指標は、図８（ｆ）に示すように、位置をユーザに示せるものであれば特定のものに限定されない。また、第２階層で「塗り潰し」を選択時には、これに対応させた第３階層を設け、ユーザの好みに応じて、塗り潰しに用いる色を複数色から選択できるようにしてもよい。メニュー項目「指標」の初期設定は、「□折曲げ」、「塗り潰し」となっている。
【００５１】
また、この他の選択肢として、摘み詳細設定メニューに、表領域３１３にキャラクタを挿入することを設定するメニュー項目「キャラクタ挿入」を備えている。メニュー項目「キャラクタ挿入」は、選択肢として、「指示キャラクタ」と「指示キャラクタ」とを有している。「指示キャラクタ」は、表領域３１３に「つまみ」のような摘み部３０２を表す旨の文字等の指示キャラクタを挿入することを設定するものである（図８（ｅ）参照）。一方、「任意キャラクタ」では、表領域３１３に任意のキャラクタを挿入可能で、非摘み成形領域３１５とは別に、表領域３１３に任意のキャラクタを入力して挿入できる選択肢と、表領域３１３と非摘み成形領域３１５とを一体の領域としてキャラクタを挿入する選択肢とを有している。
【００５２】
「指示キャラクタ」を用いれば、「つまみ」のような指示キャラクタを表領域３１３に挿入することにより、ラベルの引き剥がし時に、摘み部付ラベル３０１の摘み部３０２を容易に判断することができるようになる。また、本実施形態のテーププリンタでは、「任意キャラクタ」を用いて、表領域３１３に任意のキャラクタを入力できるようにし、摘み部付ラベル３０１の摘み部３０２をインデックスとしても利用できるようにしている。更に、「任意キャラクタ」と「塗り潰し」を併用することもでき、「任意キャラクタ」による任意なキャラクタの挿入と、「塗り潰し」による塗り潰し部分の色分けとによってインデックスを表現でき、利便性のよいインデックスを作成することができるようになっている（図９（ａ）、（ｂ）参照）。
【００５３】
なお、摘み詳細設定メニューで、「摘み長」、「位置」、および「指標」の設定を行った後は、表示画面１０２は再び詳細設定画面に戻り、「終了」を選択することにより設定を完了することができるようになっている。そして、設定を完了すると、テキスト入力画面に切り替わり、表示画面の上部には摘み部が設定された旨の表示がなされる（図７、Ｄ１６参照）。
【００５４】
次に、摘み設定キー９２について説明する。摘み設定キー９２は、摘み部付ラベル片作成モードに直接モード切替すると共に、前述した摘み詳細設定メニューの「摘み長」、「位置」、および「指標」を順次設定できるようにしたものである。
【００５５】
摘み設定キー９２を用いて、摘み長：普通、摘み位置：後端、指標：□折曲げ、塗り潰しの摘み部付ラベル片を作成するまでの一連の流れについて説明する。図７に示すように、テキストデータ「ＡＢＣＤＥ」が入力されたテキスト入力画面（Ｄ１２）で摘み設定キー９２が押される（Ｓ２１）と、摘み部付ラベル片作成モードに切り替えられ、メニュー項目「摘み長」を設定するための摘み長設定画面（Ｄ１３）が表示される。そして、摘み長設定画面（Ｄ１３）で「▲２▼普通」が選択する（Ｓ２２）と、次に位置設定画面（Ｄ１４）が表示される。位置設定画面（Ｄ１４）の選択肢から「▲２▼後」を選択する（Ｓ２３）と、指標設定画面でメニュー項目「指標」の第１階層の選択肢が表示される（Ｄ１５）。ここで、「▲２▼□折曲げ」を選択する（Ｓ２４）と、「▲２▼□折曲げ」に対応する第２階層の選択肢が表示される。そして、「塗り潰し」を選択し、メニュー項目「指標」設定が終了すると、再びテキスト入力画面（Ｄ１６）に戻り、表示画面１０２の上部には摘み部が設定された旨の表示がなされる。
【００５６】
この状態で、印刷キー９３を押す（Ｓ２５）と、印刷ヘッド３４が印刷テープの摘み部付ラベル片３１１に相当する部分の印刷を開始する。この場合、まず、印刷テープＴの非摘み成形領域３１５に相当する部分に入力したテキストデータ「ＡＢＣＤＥ」の印刷を行い、次に摘み成形領域３１２の表領域３１３に相当する部分を塗り潰し印刷を行う。このときの表領域３１３の長さは、メニュー項目「摘み長」で設定された「▲２▼普通」に基づいて行われる。そして、表領域３１３の塗り潰し印刷が終了した後、表領域３１３の長さと同じ長さ印刷テープを送り、これを切断（フルカット）すると、摘み長：普通、摘み位置：後端、指標：□折曲げ、塗り潰しの摘み部付ラベル片を得ることができる（図７参照）。
【００５７】
そして、この摘み部付ラベル片３１１の剥離紙を剥がした後、摘み成形領域３１２の表領域３１３と裏領域３１４との境界位置を折り返し、貼り合わせることで摘み部付ラベルを成形することができる。そして、塗り潰し印刷により、表領域３１３と裏領域３１４との境界位置が明確になっているので、この境界位置を目印として折り返すことにより、摘み部３０２を適切に成形することができる。また、摘み部付ラベル３０１の表側の摘み部３０２（表領域３１３）のみが塗り潰し印刷されることになるので、ラベル引き剥がし時に摘み部３０２を明確に認識することができ、ユーザの利便性を向上させることができる。
【００５８】
なお、非摘み成形領域３１５と摘み成形領域３１２との境界位置の剥離紙をハーフカットした後、印刷テープＴを切断してもよい。このようにすれば、まず、摘み成形領域３１２の剥離紙を剥がして摘み部３０２を成形することができるので、非摘み成形領域３１５の粘着面が他の部分に粘着したりすることがなく、容易に摘み部３０２を形成することができる。
【００５９】
最後に、テーププリンタ１で作成した摘み部付ラベル片３１１から成形した摘み部付ラベル３０１の使用例を挙げる。
【００６０】
例えば、裏面の粘着力を弱めた印刷テープＴを用いて摘み部付ラベル３０１を作成し、図１０に示すように、封筒の口を摘み部付ラベル（図１０（ｂ）参照）で封止すれば、開封時に封筒を損傷したり、粘着材が封筒に残ることがないので、摘み部付ラベル３０１は、封筒を複数回利用したい場合などにおいて有効である。また、会社内でのやり取りのように、封筒によって頻繁にやり取りが行われる場合には、封筒に予め所望の宛先を印刷しておき、矢印を印刷した摘み部付ラベル（図１０（ｃ）参照）で宛先を指すことができる。例えば、部署Ａと部署Ｂとのやり取りが頻繁に行われる場合、封筒に予め部署Ａと部署Ｂを印刷しておく。部署Ａから部署Ｂに封筒を送るときには、部署Ｂに矢印を指してラベルを貼付する。そして、部署Ｂから部署Ａに封筒を返信する際には、ラベルの摘み部を摘んでラベルを引き剥がし、部署Ａに矢印を指すように再びラベルを貼付する。このようにすれば封筒を傷つけることがなく、封筒を複数回利用できるので、宛先を書く手間を省くことができる。
【００６１】
また、図９（ａ）、（ｂ）に示すように、上述した指示キャラクタに代え、摘み部付ラベル片３１１の表領域３１３にインデックスの指標を印刷することによって、本実施形態のテーププリンタ１で作成した摘み部付ラベル３０１をファイル等の文書を整理するためのインデックスとして利用することができる。この場合、例えば整理する文書が増えたり、文書の変更が生じるなどして、インデックスの位置を変更する必要が生じたとしても、文書に貼付したインデックスのラベルを容易に引き剥がすことができるため、ラベルを貼付していた文書を損傷することがない。そして、引き剥がしたラベルを所望する位置に貼付して、インデックスとして再び利用することができるため、インデックスとなるラベルを再び作成する手間も省けユーザの利便性を向上させることができる。なお、インデックスとして利用する摘み部付ラベル３０１を作成する場合には、粘着力を弱めた専用の印刷テープＴで作成することが好ましい。
【００６２】
【発明の効果】
以上に述べたように、本発明のテーププリンタのテープ処理方法およびテーププリンタでは、摘み部を成形するための摘み成形領域が付加されると共に、摘み成形領域の折り返し位置を示す指標が印刷されたラベル片を得ることができるため、予め作成したラベルを貼付後に引き剥がすことを想定した、摘み部付ラベルを適切に成形することができるラベル片を得ることができる。
【図面の簡単な説明】
【図１】本発明の一実施形態を示すテーププリンタの外観斜視図である。
【図２】本発明の一実施形態を示すテーププリンタの開閉カバー開放時の外観斜視図である。
【図３】本発明の一実施形態に係るテーププリンタの制御系のブロック図である。
【図４】本発明の一実施形態に係るテーププリンタの制御全体を概念的処理で示すフローチャートである。
【図５】本発明の一実施形態に係るテーププリンタにおいて、メニューから「摘み」を選択したときの表示画面および操作の流れの一部分を示した図である。
【図６】本発明の一実施形態に係るテーププリンタにおける、摘み詳細設定メニューの一覧図である。
【図７】本発明の一実施形態に係るテーププリンタにおいて、摘み設定キーを押したときの表示画面および操作の流れを示した図である。
【図８】実施形態のテーププリンタで作成されるラベルおよびラベル片を示した図である。（ａ）はラベルの外観斜視図、（ｂ）は摘み成形領域の付加位置を示した図、（ｃ）は摘み成形領域の折曲げ位置を示した図、（ｄ）は「塗り潰し」を選択した際に得られるラベル片を示した図、（ｅ）は指示キャラクタを印刷したラベル片を示した図、（ｆ）は摘み成形領域に印刷される指標の例を示した図である。
【図９】本発明により得られるラベルをインデックスとして利用した際の説明図である。
【図１０】本発明により得られるラベルの利用例を示した図である。
【符号の説明】
１　テーププリンタ　　　　　　　　　　２　印刷部
４　操作部　　　　　　　　　　　　　　５　切断部
８　制御部　　　　　　　　　　　　　３４　印刷ヘッド
９２　摘み設定キー　　　　　　　　　１１３　テープカッタ
３０１　摘み部付ラベル　　　　　　　　３０２　摘み部
３１１　摘み部付ラベル片　　　　　　　３１２　摘み成形領域
３１３　表領域　　　　　　　　　　　　３１４　裏領域
３１５　非摘み成形領域　　　　　　　　３２１　折曲げ位置
３２２　境界位置
Ｃ　テープカートリッジ　　　　　　　　Ｔ　印刷テープ
Ｒ　インクリボン
【図１】
2004017340.tif 000003
【図２】
2004017340.tif 000004
【図３】
2004017340.tif 000005
【図４】
2004017340.tif 000006
【図５】
2004017340.tif 000007
【図６】
2004017340.tif 000008
【図７】
2004017340.tif 000009
【図８】
2004017340.tif 000010
【図９】
2004017340.tif 000011
【図１０】
2004017340.tif 000012